(57)【要約】【課題】単に前記被載置物の下面に直接μ波が入射するだけでなく、この下面と対向する面に入射したμ波をも被載置物の下面に入射させることができ、手間をかけることなく極めて容易且つ確実に加熱ムラを防止して極めて効率良く前記被載置物の加熱を行うことができる極めて実用性に秀れた電子レンジ用載置台を提供するものである。【解決手段】μ波を照射させて加熱させる被載置物２を支承する支承凸部３を載置部１の上面に複数設け、この載置部１の前記支承凸部３に支承されて、少なくともこの支承凸部３間に架設状態に載置される被載置物２の下面と対向する前記載置部１の上面にμ波反射面４を設けたものである。【選択図】        図１
2004309082.tif 000002
【特許請求の範囲】
【請求項１】
μ波を照射させて加熱させる被載置物を支承する支承凸部を載置部の上面に複数設け、この載置部の前記支承凸部に支承されて、少なくともこの支承凸部間に架設状態に載置される被載置物の下面と対向する前記載置部の上面にμ波反射面を設けたことを特徴とする電子レンジ用載置台。
【請求項２】
前記複数の支承凸部を、前記被載置物を載置部の上面から所定高さの位置に浮上させた状態で支承し得るように構成したことを特徴とする請求項１記載の電子レンジ用載置台。
【請求項３】
前記μ波反射面を、前記載置部の上面をμ波を反射し得る材質で形成若しくは前記載置部の上面にμ波を反射し得る材質を設けることで形成したことを特徴とする請求項１，２のいずれか１項に記載の電子レンジ用載置台。
【発明の詳細な説明】
【０００１】
【発明の属する技術分野】
本発明は、電子レンジ用載置台に関するものである。
【０００２】
【従来の技術及び発明が解決しようとする課題】
電子レンジは、マグネトロンから放出されるμ波により電子レンジ内のターンテーブルに載置された被載置物の水分子を振動させ、この水分子同志の摩擦熱により加熱を行うものである。
【０００３】
ところで、このターンテーブルに載置された被載置物の下面、即ち、ターンテーブルと当接する面からは前記μ波が入射しないため、前記被載置物の表面（上面及び側面）は良好に加熱されるが、下面は加熱されにくく、加熱ムラを生じてしまうことがある。
【０００４】
そこで、この加熱ムラを防止するため、この被載置物の下面からも前記μ波が入射するように、例えば二本の割り箸を架設台として、この二本の割り箸間に前記被載置物を架設することで、この被載置物を前記ターンテーブルから浮上させた状態で支承して、被載置物の下面とターンテーブルとの間に空間を形成し、この空間を通じてμ波が前記被載置物の下面に入射できるようにしていたのが現状である。
【０００５】
ところが、この場合には確かに前記被載置物の下面から入射できなかったμ波が前記空間を通じて入射することになり、下面からの加熱を促進できることになるが、前記空間を通じて直接下面に入射するμ波は少なく、未だ上面に比べ加熱が不十分で多少なりとも加熱ムラが生じることは避けられないし、割り箸等の架設台を被載置物の大きさに応じて間隔を設定しながら一々組み立て・載置する煩わしさは避けられない。
【０００６】
本発明は、上述のような現状に鑑み、μ波を照射させて加熱させる被載置物を支承する支承凸部を載置部の上面に複数設け、この載置部の前記支承凸部に支承されて、この支承凸部間に架設状態に載置される被載置物の下面と対向する前記載置部の上面にμ波反射面を設けることで、単に前記被載置物の下面に直接μ波が入射するだけでなく、この被載置物の下面と対向する面をμ波反射面とすることで、このμ波反射面に入射したμ波をも被載置物の下面に入射させることができ、手間をかけることなく極めて容易且つ確実に加熱ムラを防止して極めて効率良く前記被載置物の加熱を行うことができる極めて実用性に秀れた電子レンジ用載置台を提供するものである。
【０００７】
【課題を解決するため手段】
添付図面を参照して本発明の要旨を説明する。
【０００８】
μ波を照射させて加熱させる被載置物２を支承する支承凸部３を載置部１の上面に複数設け、この載置部１の前記支承凸部３に支承されて、少なくともこの支承凸部３間に架設状態に載置される被載置物２の下面と対向する前記載置部１の上面にμ波反射面４を設けたことを特徴とする電子レンジ用載置台に係るものである。
【０００９】
また、前記複数の支承凸部３を、前記被載置物２を載置部１の上面から所定高さの位置に浮上させた状態で支承し得るように構成したことを特徴とする請求項１記載の電子レンジ用載置台に係るものである。
【００１０】
また、前記μ波反射面４を、前記載置部１の上面をμ波を反射し得る材質で形成若しくは前記載置部１の上面にμ波を反射し得る材質を設けることで形成したことを特徴とする請求項１，２のいずれか１項に記載の電子レンジ用載置台に係るものである。
【００１１】
【発明の実施の形態】
好適と考える本発明の実施の形態（発明をどのように実施するか）を、図面に基づいてその作用効果を示して簡単に説明する。
【００１２】
電子レンジ５内部に載置した載置部１上面の支承凸部３間に加熱対象物である被載置物２を架設状態に載置してμ波を照射させてこの被載置物２を加熱させる。
【００１３】
この際、前記被載置物２の下面の下方には、この被載置物２の下面と載置部１の上面と支承凸部３の側面とで囲まれた空間が形成され、被載置物２の下面にもμ波がこの空間を通じて直接入射することになる。
【００１４】
しかも、この被載置物２の下面と対向するμ波反射面４により、前記空間を通るμ波が直接被載置物２の下面に入射せずにこのμ波反射面４に入射した場合にも、このμ波反射面４により反射されたμ波が前記被載置物２の下面に入射することになる。
【００１５】
即ち、前記被載置物２の下面には前記空間を通じて直接入射するμ波だけでなく、この被載置物２の下面と対向するμ波反射面４により反射されたμ波までもが入射することになり、下面にも十分なμ波を入射させることができるから、この下面も被載置物２の上面と同様に良好に加熱され、加熱ムラを確実に防止できることになる。
【００１６】
また、例えば、前記支承凸部３をやや狭い間隔で複数並設することで、被載置物２がどのような大きさであっても良好に支承できることになり、被載置物２の大きさによって一々取り替えたりする必要なく、単にこの載置部１を前記電子レンジ５内に設けるだけで極めて容易に加熱ムラを防止できることになる。
【００１７】
従って、本発明は、単に前記被載置物の下面に直接μ波が入射するだけでなく、μ波反射面に入射したμ波をも被載置物の下面に入射させることができ、手間をかけることなく極めて容易且つ確実に加熱ムラを防止して極めて効率良く前記被載置物の加熱を行うことができる極めて実用性に秀れた電子レンジ用載置台となる。
【００１８】
【実施例】
本発明の具体的な実施例について図面に基づいて説明する。
【００１９】
本実施例は、μ波を照射させて加熱させる被載置物２を支承する支承凸部３を載置部１の上面に複数設け、この載置部１の前記支承凸部３に支承されて、この支承凸部３間に架設状態に載置される被載置物２の下面と対向する前記載置部１の上面にμ波反射面４を設けたものである。
【００２０】
具体的には、電子レンジ５に備え付けの既存のターンテーブル６に前記載置部１を載置することで、この載置部１に複数設けた支承凸部３間に被載置物２を架設状態に載置した上でμ波による加熱を行うことができるように構成している。
【００２１】
載置部１は、前記ターンテーブル６に着脱自在に設けることができるように構成している。従って、この載置部１は前記ターンテーブル６から容易に取り外して洗浄することができる。
【００２２】
具体的には、この載置部１として一般的なターンテーブル６に合わせて薄い円盤状体１ａを採用している。この円盤状体１ａには支承凸部３を形成する板状体３ａの前後両端部に夫々設けた嵌合係止部３ｂと係止する嵌合孔１ｂを設けている。
【００２３】
また、本実施例においては載置部１として円盤状体１ａを採用しているが、他の形状、例えば平面視三角形状の板状体でも良いし、直方体でも良く、その他ターンテーブル６に着脱自在に設けることができる形状であればどのような形状でも良い。
【００２４】
この載置部１に設けた嵌合孔１ｂに前記板状体３ａの嵌合係止部３ｂを嵌合係止することで板状体３ａを前記載置部１に立設し、この立設した板状体３ａを支承凸部３に設定している。従って、この板状体３ａは前記円盤状体１ａと略一体化することで強度に秀れたものとなり、極めて安定的に前記被載置物２を支承できる。
【００２５】
また、この支承凸部３を前記載置部１上に着脱自在に設置した構成としても良く、この場合には、例えばこの支承凸部３を構成する板状体３ａが取り外し容易となり、極めて容易に支承凸部３の支承高さを変更したり、洗浄したりすることができ極めて扱いやすくなる。
【００２６】
尚、本実施例においては支承凸部３を、立設することで幅狭となる板状体３ａにより構成しているが、より幅広となる棒状体で凸条を形成し、この凸条を前記支承凸部３に設定しても良く、この場合にはより大きな荷重に耐えられる強度に秀れた支承凸部３を形成できることになる。
【００２７】
また、支承凸部３は、前記被載置物２を載置部１上面から所定高さの位置に浮上させた状態でこの被載置物２を支承し得るように構成している。即ち、被載置物２の下面と前記載置部１の上面との間に確実に空間を保持することができる。
【００２８】
また、この支承凸部３は前記載置部１である円盤状体１ａに図２に図示したように複数並設状態に設けている。従って、汚れや水を所定の方向にまとめて除去しやすく、極めて良好に洗浄を行える構成である。尚、図３は図２のＢ−Ｂ断面図であり、図４は図２のＣ−Ｃ断面図である。
【００２９】
また、この支承凸部３同志の間隔はやや幅狭として小さな被載置物２でも良好に支承できるように構成している。従って、前記被載置物２の大きさに関係なく良好に支承することができるから、一々取り替えたりする必要なく、単にこの載置部１を前記電子レンジ５に設けるだけで、極めて容易に加熱ムラを防止できる。
【００３０】
尚、この支承凸部３は上述のような構成に限られるものでなく、他の構成、例えば図５に図示したように前記円盤状体１ａに放射状に設けても良く、この場合にも、中心部において前記支承凸部３同志の間隔が狭い部分を形成できるから、前述と同様に小さい被載置物２でも良好に支承できることになる。尚、図６は図５のＡ−Ａ断面図である。
【００３１】
μ波反射面４は、前記載置部１の上面にμ波を反射し得る材質を設けることで形成している。このμ波を反射し得る材質とは例えば金属であり、本実施例においては、アルミニウムを前記載置部１である円盤状体１ａの上面にコーティングすることで前記μ波反射面４を形成している。
【００３２】
また、本実施例においては、支承凸部３間に架設状態に載置される被載置物２の下面と対向する前記載置部１の上面に前記μ波反射面４を設けた構成であるが、他の部分、例えば前記載置部１の上面全面に設けても良いし、前記支承凸部３の側面に設けても良く、この場合には前記被載置面２の下面に入射するμ波を一層増加させることができる。
【００３３】
尚、このμ波反射面４は、前記載置部１の上面をμ波を反射し得る材質で形成しても良く、例えば載置部１の上面（若しくは全部）をアルミニウム製やステンレス製としても良いし、載置部１の上面にアルミ箔を貼着したり、鉄板を設けて形成しても良い。
【００３４】
また、本実施例においては、前記載置部１を電子レンジ５のターンテーブル６に載置する構成としたが、このターンテーブル６を載置部１に設定しても良く、この場合も上述と同様に被載置物２の下面を良好に加熱することができ、確実に加熱ムラを防止できる実用性に秀れた電子レンジ５を構成できることになる。
【００３５】
本実施例は上述のように構成したから、電子レンジ５内部に設けた載置部１上面の支承凸部３間に加熱対象物である被載置物２を架設状態に載置してμ波を照射させて被載置物２を加熱させる際、前記被載置物２の下面の下方には、この被載置物２の下面と載置部１の上面と支承凸部３の側面とで囲まれた空間が形成され、被載置物２の下面にもμ波がこの空間を通って直接入射することになる。
【００３６】
しかも、この被載置物２の下面と対向するμ波反射面４により、前記空間を通るμ波が直接被載置物２の下面に入射せずにこのμ波反射面４に入射した場合でも、このμ波反射面４により反射されて前記被載置物２の下面に入射することになる。
【００３７】
即ち、前記被載置物２の下面には前記空間を通じて直接入射するμ波だけでなく、この被載置物２の下面と対向するμ波反射面４により反射されたμ波までもが入射して、下面にも十分なμ波を入射させることができるから、被載置物２の上面と同様に良好に加熱されることになり加熱ムラを防止できることになる。
【００３８】
従って、本実施例は、単に前記被載置物の下面に直接μ波が入射するだけでなく、μ波反射面に入射したμ波をも被載置物の下面に入射させることができ、手間をかけることなく極めて容易且つ確実に加熱ムラを防止して極めて効率良く前記被載置物の加熱を行うことができる極めて実用性に秀れたものとなる。
【００３９】
【発明の効果】
本発明は上述のように構成したから、単に前記被載置物の下面に直接μ波が入射するだけでなく、μ波反射面に入射したμ波をも被載置物の下面に入射させることができ、手間をかけることなく極めて容易且つ確実に加熱ムラを防止して極めて効率良く前記被載置物の加熱を行うことができる極めて実用性に秀れた電子レンジ用載置台となる。
【００４０】
また、請求項２，３に記載の発明においては、本発明を一層容易に実現できるより一層実用性に秀れたものとなる。
【図面の簡単な説明】
【図１】本実施例の概略説明斜視図である。
【図２】本実施例の説明平面図である。
【図３】図２のＢ−Ｂ断面図である。
【図４】図２のＣ−Ｃ断面図である。
【図５】本実施例の説明平面図である。
【図６】図５のＡ−Ａ断面図である。
【符号の説明】
１  載置部
２  被載置物
３  支承凸部
４  μ波反射面
【図１】
2004309082.tif 000003
【図２】
2004309082.tif 000004
【図３】
2004309082.tif 000005
【図４】
2004309082.tif 000006
【図５】
2004309082.tif 000007
【図６】
2004309082.tif 000008